(57)【要約】      （修正有）【課題】リサイクルに使用される再生機内が汚染されることを抑制することができるとともに、純度が高く品質劣化が抑制されたリサイクル素材を得ることができるリサイクル可能なラベルを供給する。【解決手段】上層から順番に、上層ラベル１０、下層ラベル２０、剥離紙３０の順で積層されるとともに互いに剥離可能に構成され、下層ラベル２０から剥離紙３０を剥離して段ボール箱に貼付されるリサイクル可能なラベル１００であって、上層ラベル１０に印刷が施され、下層ラベル２０に印刷が施されていない、リサイクル可能なラベル１００。【選択図】図３
2020008605.tif 000002
【特許請求の範囲】
【請求項１】
上層から順番に、上層ラベル、下層ラベル、剥離紙の順で積層されるとともに互いに剥離可能に構成され、前記下層ラベルから前記剥離紙を剥離して被貼付物に貼付されるリサイクル可能なラベルであって、
前記上層ラベルに印刷が施され、
前記下層ラベルに印刷が施されていない、リサイクル可能なラベル。
【請求項２】
前記下層ラベルの主成分と、前記被貼付物の主成分とは、リサイクルする上で同一分類とされる材料からなる、請求項１に記載のリサイクル可能なラベル。
【請求項３】
被貼付物と、
前記被貼付物に粘着剤層を介して貼付され、主成分がリサイクルする上で同一分類とされる材料からなるとともに印刷が施されていない下層ラベルと、
前記下層ラベルから剥離可能に積層され、印刷が施された上層ラベルとを備えるリサイクル可能な容器。
【請求項４】
前記被貼付物に印刷が施されていない、請求項３に記載のリサイクル可能な容器。
【発明の詳細な説明】
【技術分野】
【０００１】
本発明は、収容物が収容される段ボールや発泡スチロール等の容器に貼付されるラベルに関する。
【０００２】
従来、収容物が収容される段ボールや発泡スチロール等の容器を再使用するために、これらの容器に貼付されるラベルが提案されている。
【０００３】
たとえば、段ボール箱は、収容される商品とその搬送形態によってはそのまま再使用されることが比較的多いが、段ボール箱の表面や側面には社名や商品名が印刷されているため、発送元の会社が使用済みの段ボール箱を回収して同じ商品の梱包および搬送に用いない限り、個人的な使用以外は再使用することが難しい。
【０００４】
そこで、使用済みの段ボール箱の表面や側面の印刷面が目立たないように、再使用する際に新規の社名や商品名が印刷されたラベルを段ボール箱の印刷面の上から重ねて貼付することによって、使用済みの段ボール箱を再使用できる点が記載されている（たとえば、特許文献１参照）。
【先行技術文献】
【特許文献】
【０００５】
【特許文献１】特開２００１−２９４２２５号公報
【発明の概要】
【発明が解決しようとする課題】
【０００６】
ここで、上記特許文献１に記載のラベルを使用済みの段ボール箱の印刷面に貼付することにより、使用済みの段ボール箱を再使用できるという点においては有用な手段ではある。しかしながら、使用済みの段ボール箱をリサイクルに使用される再生機を用いてリサイクルする場合には、段ボール箱の表面や側面等の印刷や印字に使用されるインクが再生機内を汚染してしまうという問題点がある。また、印刷や印字に使用されるインクが混入することに起因して、リサイクル素材の純度が低下するという問題点がある。
【課題を解決するための手段】
【０００７】
上記目的を達成するために、本発明は、次のように構成されている。
【０００８】
（１）本発明のリサイクル可能なラベルは、上層から順番に、上層ラベル、下層ラベル、剥離紙の順で積層されるとともに互いに剥離可能に構成され、前記下層ラベルから前記剥離紙を剥離して被貼付物に貼付されるリサイクル可能なラベルであって、前記上層ラベルに印刷が施され、前記下層ラベルに印刷が施されていない。
【０００９】
上記構成によると、被貼付物としての容器などのリサイクル時に、印刷が施された上層ラベルを印刷が施されていない下層ラベルから剥離するだけで、印刷が施されていない下層ラベルのみが被貼付物に貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００１０】
また、上記構成によると、上層ラベルを下層ラベルから剥離した後に、別の上層ラベルを下層ラベル上に何度も貼付および剥離することが可能であるため、被貼付物としての容器のリユースが容易である。すなわち、被貼付物の表面に直接貼付および剥離することが可能なラベル（いわゆる、単層の再剥離タイプのラベル）を、被貼付物に対して何度も貼付および剥離を繰り返した場合には、被貼付物の表面が剥がれるという点や、被貼付物の表面に汚れが蓄積されるという点から、被貼付物のリユースが困難となる。上記のような観点から、本発明のラベルを適用すると、被貼付物（容器）のリユースが容易である。
【００１１】
（２）本発明のリサイクル可能なラベルにおいて、前記下層ラベルの主成分と、前記被貼付物の主成分とは、リサイクルする上で同一分類とされる材料からなる。これにより、下層ラベルが被貼付物の主成分と異なる材料からなる場合と異なり、より純度が高く、かつ、より品質劣化が抑制されたリサイクル素材を得ることができる。ここで、「同一分類とされる材料」とは、リサイクルする際に純度の高いリサイクル素材を得るために、リサイクルする上で同一種類または同一分類されるものと考えられる材料のことをいい、全く同じ材料や材質のものを用いるという意味ではない。
【００１２】
（３）本発明のリサイクル可能な容器は、被貼付物と、前記被貼付物に粘着剤層を介して貼付され、主成分がリサイクルする上で同一分類とされる材料からなるとともに印刷が施されていない下層ラベルと、前記下層ラベルから剥離可能に積層され、印刷が施された上層ラベルとを備える。
【００１３】
上記構成によると、リサイクル時に、容器に貼付された印刷が施された上層ラベルを印刷が施されていない下層ラベルから剥離するだけで、印刷が施されていない下層ラベルのみが容器に貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００１４】
（４）本発明のリサイクル可能な容器において、前記被貼付物に印刷が施されていない。これにより、被貼付物としての容器をリサイクルする際に、印刷が施された上層ラベルを印刷が施されていない下層ラベルから剥離すると、下層ラベルおよび被貼付物には全く印刷が施されていない状態となるため、リサイクルに使用される再生機内のインキ等による汚染をより確実に抑制することができるとともに、より純度が高く品質劣化が抑制されたリサイクル素材を得ることができる。
【発明の効果】
【００１５】
本発明のリサイクル可能なラベルは、リサイクルに使用される再生機内が汚染されることを抑制することができるとともに、純度が高く品質劣化が抑制されたリサイクル素材を得ることができる。
【図面の簡単な説明】
【００１６】
【図１】本発明の第１の実施形態に係るリサイクル可能なラベルが貼付された段ボール箱を示す斜視図である。
【図２】図１に示すラベルおよび段ボール箱を示す概略断面図である。
【図３】段ボール箱に貼付する前におけるラベルを示す概略断面図である。
【図４】リサイクル時における上層ラベルを下層ラベルから剥離する様子を示す斜視図である。
【図５】リサイクル時における上層ラベルを下層ラベルから剥離した様子を示す概略断面図である。
【図６】本発明の第２の実施形態に係るリサイクル可能なラベルが貼付された発泡スチロール箱を示す斜視図である。
【図７】図６に示すラベルおよび発泡スチロール箱を示す概略断面図である。
【図８】本発明の第３の実施形態に係るリサイクル可能なラベルが貼付された缶を示す斜視図である。
【図９】図８に示すラベルおよび缶を示す概略断面図である。
【図１０】本発明の第４の実施形態に係るリサイクル可能なラベルが貼付されたペットボトルを示す概観図である。
【図１１】図１０に示すラベルおよびペットボトルを示す概略断面図である。
【発明を実施するための形態】
【００１７】
以下、本発明を適用したリサイクル可能なラベルが貼付された段ボール箱の実施の形態を、図１〜図５を参照し、詳細に説明する。
【００１８】
［第１の実施形態］
図１および図２は、第１の実施形態に係るリサイクル可能なラベルが貼付された段ボール箱を示す概略図である。図３は、段ボール箱に貼付する前における剥離紙を備えるラベルの概略断面図である。図４および図５は、リサイクル時に上層ラベルを下層ラベルから剥離した様子を示す概略図である。なお、これらの図は模式図であって、必ずしも大きさを正確な比率で記したものではない。たとえば、図１〜図５における段ボール箱とラベルとの縦の長さおよび横の長さの比や、段ボール箱とラベルの各層の厚みの比率などは現実における比率に対応している訳ではない。
【００１９】
第１の実施形態に係るリサイクル可能な容器３００は、図１に示すように、リサイクル可能なラベル１００が段ボール箱２００に貼付されることにより構成されている。段ボール箱２００は、底面２０１と、底面２０１に対向する天面２０３と、底面２０１の縁辺と天面２０３の縁辺とを架設する側面２０２とを備えている。この段ボール箱２００は、本発明の「被貼付物」の一例である。また、段ボール箱２００の天面２０３および底面２０１は、それぞれ、粘着テープ２０４などにより封緘されている。段ボール箱２００の底面２０１、側面２０２および天面２０３は、ラベル１００を貼付する前においては、その表面２００ａ（被貼付面）に印刷が施されておらず無地である。
【００２０】
段ボール箱２００の側面２０２および天面２０３には、それぞれの面の全体を覆うようにラベル１００が貼付されている。ラベル１００は、図３に示すように、上層から順番に、上層ラベル１０、下層ラベル２０、剥離紙３０の順で積層されるとともに、互いに剥離可能に構成されている。上層ラベル１０の表面側には、予め印刷が施されている一方、下層ラベル２０には、印刷が施されていない。図２に示すように、ラベル１００を段ボール箱２００の表面２００ａに貼付する際には、下層ラベル２０から剥離紙３０を剥離して貼付することとなる。
【００２１】
上層ラベル１０は、横長矩形の基材１１と、基材１１の裏面側に設けられた粘着剤層１２とを備えている。基材１１は、たとえば、上質紙をはじめ、キャストコート紙およびアート紙などの塗工紙、サーマル紙、インクジェット紙などからなる。この基材１１の表面には、例えば、商品名、会社名、図名などの情報が印刷されている。また、粘着剤層１２は、アクリル系粘着剤などからなる。
【００２２】
上層ラベル１０は、段ボール箱２００の表面２００ａに貼付された下層ラベル２０に対して、粘着剤層１２によって貼付され、その状態で流通過程に置かれる。従って、この流通過程での荷物の取扱い状況を考慮すると、流通過程において上層ラベル１０は下層ラベル２０に対して少なくとも剥がれることのない程度の貼着性能を備えていることが望ましい。その一方で、段ボール箱２００のリサイクル時に、上層ラベル１０を下層ラベル２０から剥離するため、容易に剥離することができる程度の剥離性能を備えていることが望ましい。また、上層ラベル１０は、下層ラベル２０の表面上に何度も貼付および剥離することが可能となっている。すなわち、上層ラベル１０は、後述する下層ラベル２０の剥離剤層２２の表面上に貼付されているため、上層ラベル１０を下層ラベル２０から剥離した後に、別に印刷が施された上層ラベルを下層ラベル２０の表面上に貼付および剥離する事も可能であるし、再度同じ上層ラベル１０を下層ラベル２０の表面上に貼付することも可能である。これにより、段ボール箱２００のリユースが容易となっている。
【００２３】
図２に示すように、下層ラベル２０は、上層ラベル１０と同様の大きさおよび形状の横長矩形の基材２１と、基材２１の表面の全域にシリコン樹脂などの剥離剤を塗布して形成された剥離剤層２２と、基材２１の裏面側に設けられた粘着剤層２３とを備えている。そして、この下層ラベル２０は、粘着剤層２３を介して、段ボール箱２００の側面２０２および天面２０３に貼付されている。
【００２４】
ここで、第１の実施形態では、下層ラベル２０の基材２１の主成分と、段ボール箱２００の主成分とは、リサイクルする上で同一分類とされる材料からなる。ここで、「同一分類とされる材料」とは、リサイクルする際に純度の高いリサイクル素材を得るために、リサイクルする上で同一種類または同一分類されるものと考えられる材料のことをいい、全く同じ材料や材質のものを用いるという意味ではない。たとえば、段ボール箱２００が紙材料からなるものであれば、下層ラベル２０の基材２１は、上質紙、キャストコート紙、アート紙、サーマル紙、インクジェット紙、グラシン紙などの一般的に「紙」と呼ばれるものが挙げられる。
【００２５】
次に、図１〜図５を参照して、ラベル１００の段ボール箱２００への貼付方法、および、リサイクル時のラベル１００の使用方法について説明する。まず、図３に示すように、下層ラベル２０の裏面側に設けられている剥離紙３０を下層ラベル２０から剥離する。そして、図１および図２に示すように、段ボール箱２００の底面２０１、側面２０２および天面２０３の各面の任意の位置に貼付する。段ボール箱２００の表面２００ａには文字などの印刷が施されていないため、ラベル１００（上層ラベル１０）が貼付されることにより、段ボール箱２００に商品名や会社名などの情報が表示されることとなる。すなわち、段ボール箱２００の表面２００ａへの直接的な印刷に替えて、上層ラベル１０に施された印刷により代用される。
【００２６】
段ボール箱２００をリサイクルする際には、図４および図５に示すように、印刷が施された上層ラベル１０を印刷が施されていない下層ラベル２０から剥離する。これにより、段ボール箱２００には、印刷が施された箇所が無くなり、無地の状態となる。すなわち、段ボール箱２００に貼付されたラベル１００の上層ラベル１０を下層ラベル２０から剥離するだけで、容易に段ボール箱２００の表面２００ａ（側面２０２または天面２０３）から印刷が施された上層ラベル１０を剥離することができ、換言すると、段ボール箱２００の表面２００ａ（側面２０２または天面２０３）から容易に印刷面を除去することができる。これにより、上層ラベル１０の剥離後の段ボール箱２００をリサイクルに使用される再生機でリサイクル処理する際に、純度の高いリサイクル材料を得ることができる。なお、上層ラベル１０の剥離後の段ボール箱２００には、下層ラベル２０の剥離剤層２２と粘着剤層２３とが付着しているが、その量は段ボール箱２００および下層ラベル２０の基材２１と比較して微量であるため、純度の高いリサイクル材料を得るという点において特に問題とはならない。
【００２７】
上記説明した第１の実施形態によれば、以下の効果を得ることができる。
【００２８】
（１）第１の実施形態によるリサイクル可能なラベル１００では、上層ラベル１０に印刷が施され、下層ラベル２０に印刷が施されていないことによって、段ボール箱２００のリサイクル時に、印刷が施された上層ラベル１０を印刷が施されていない下層ラベル２０から剥離するだけで、印刷が施されていない下層ラベル２０のみが段ボール箱２００の表面２００ａに貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００２９】
また、上層ラベル１０を下層ラベル２０から剥離した後に、別の上層ラベルを下層ラベル２０上に何度も貼付および剥離することが可能であるため、段ボール箱２００のリユースが容易である。すなわち、段ボール箱２００の表面２００ａに直接貼付および剥離することが可能なラベル（いわゆる、単層の再剥離タイプのラベル）を、段ボール箱２００に対して何度も貼付および剥離を繰り返した場合には、段ボール箱２００の表面２００ａが剥がれるという点や、段ボール箱２００の表面２００ａに汚れが蓄積されるという点から、段ボール箱２００のリユースが困難となる。上記のような観点から、第１の実施形態によるリサイクル可能なラベル１００を適用すると、段ボール箱２００のリユースが容易である。
【００３０】
（２）第１の実施形態によるリサイクル可能なラベル１００では、下層ラベル２０と段ボール箱２００との主成分を同一材料にすることによって、下層ラベル２０が段ボール箱２００との主成分と異なる材料からなる場合と異なり、より純度が高く、より品質劣化が抑制されたリサイクル素材を得ることができる。
【００３１】
（３）第１の実施形態によるリサイクル可能な容器３００は、段ボール箱２００と、段ボール箱２００に粘着剤層２３を介して貼付され、主成分がリサイクルする上で同一分類とされる材料からなるとともに印刷が施されていない下層ラベル２０と、下層ラベル２０から剥離可能に積層され、印刷が施された上層ラベル１０とを備えることによって、リサイクル時に、段ボール箱２００の表面２００ａに貼付された印刷が施された上層ラベル１０を印刷が施されていない下層ラベル２０から剥離するだけで、印刷が施されていない下層ラベル２０のみが段ボール箱２００の表面２００ａに貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００３２】
（４）第１の実施形態によるリサイクル可能な容器３００では、段ボール箱２００の底面２０１、側面２０２および天面２０３のいずれかの表面２００ａに印刷が施されていないことによって、段ボール箱２００をリサイクルする際に、印刷が施された上層ラベル１０を印刷が施されていない下層ラベル２０から剥離すると、下層ラベル２０および段ボール箱２００が全く印刷が施されていない状態となるため、リサイクルに使用される再生機内のインキ等による汚染をより確実に抑制することができるとともに、より純度が高く品質劣化が抑制されたリサイクル素材を得ることができる。また、段ボール箱２００の表面２００ａに直接印刷する場合には、段ボール箱２００の材質や厚みに起因して印刷工程が煩雑になる一方、本発明では、ラベル１００の上層ラベル１０は複数の材質から選択できかつ比較的厚みが薄いため、容易に印刷することができるとともに、印刷に用いられる色の数などの制限が無くなるため、さまざまな印刷の形態に対応することができる。
【００３３】
［第２の実施形態］
図６および図７を用いて、本発明の第２の実施形態に係る発泡スチロールからなるリサイクル可能な容器について説明する。なお、第２の実施形態は、第１の実施形態で説明した容器（段ボール箱）の材質および容器に貼付するラベルの基材の材質のみが異なる構成であるため、共通部分には同一符号を付してその説明を省略し、異なる構成のみ詳説する。
【００３４】
第２の実施形態に係るリサイクル可能な容器３１０は、図６に示すように、リサイクル可能なラベル１００ａが発泡スチロール箱２１０に貼付されることにより構成されている。この発泡スチロール箱２１０は、底面２１１と、底面２１１の縁辺より立設された側面２１２と、側面２１２に囲まれた収容領域を覆う蓋体２１３とを備えている。この発泡スチロール箱２１０は、本発明の「被貼付物」の一例である。
【００３５】
第２の実施形態では、ラベル１００ａの下層ラベル２０ａの基材２１ａの主成分と、発泡スチロール箱２１０の主成分とは、リサイクルする上で同一分類とされる材料からなる。ここで、「同一分類とされる材料」とは、上述した第１の実施形態の概念と同様である。たとえば、発泡スチロール箱２１０がポリスチレンからなるものであれば、リサイクルする上で、下層ラベル２０ａの基材２１ａとしてポリスチレンと同一の材料または分類と考えられる合成樹脂素材であればよい。なお、ラベル１００ａの発泡スチロール箱２１０への貼付方法および発泡スチロール箱２１０をリサイクルする際に上層ラベル１０を下層ラベル２０ａから剥離する点は、上述した第１の実施形態の内容と同様である。
【００３６】
上記説明した第２の実施形態によれば、第１の実施形態において記載した（１）〜（４）の効果と同様に（５）の効果を得ることができる。
【００３７】
（５）第２の実施形態によるリサイクル可能なラベル１００ａでは、上層ラベル１０に印刷が施され、下層ラベル２０ａに印刷が施されていないことによって、発泡スチロール箱２１０のリサイクル時に、印刷が施された上層ラベル１０を印刷が施されていない下層ラベル２０ａから剥離するだけで、印刷が施されていない下層ラベル２０ａのみが発泡スチロール箱２１０の表面２１０ａに貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００３８】
［第３の実施形態］
図８および図９を用いて、本発明の第３の実施形態に係る飲料などの液体が封入された缶について説明する。なお、第３の実施形態は、第１および第２の実施形態で説明した容器（段ボール箱、発泡スチロール箱）の材質およびこれらの容器に貼付するラベルの基材の材質のみが異なる構成であるため、共通部分には同一符号を付してその説明を省略し、異なる構成のみ詳説する。
【００３９】
第３の実施形態に係るリサイクル可能な容器３２０は、図８および図９に示すように、リサイクル可能なラベル１００ｂが缶２２０に貼付されることにより構成されている。この缶２２０は、底面２２１と、底面２２１に対向する天面２２３と、底面２２１の縁辺と天面２２３の縁辺とを架設する側面２２２とを備えている。この缶２２０は、本発明の「被貼付物」の一例である。
【００４０】
第３の実施形態では、ラベル１００ｂの下層ラベル２０ｂの基材２１ｂの主成分と、缶２２０の主成分とは、リサイクルする上で同一分類とされる材料からなる。ここで、「同一分類とされる材料」とは、上述した第１および第２の実施形態の概念と同様である。たとえば、缶がアルミニウムからなるものであれば、下層ラベル２０ｂの基材２１ｂとしてアルミニウムなどの金属が用いられることが好ましい。また、缶がスチールからなるものであれば、下層ラベル２０ｂの基材２１ｂとしてスチールなどの金属が用いられることが好ましい。なお、ラベル１００ｂの缶２２０への貼付方法および缶２２０をリサイクルする際に上層ラベル１０を下層ラベル２０ｂから剥離する点は、上述した第１および第２の実施形態の内容と同様である。
【００４１】
上記説明した第３の実施形態によれば、第１および第２の実施形態において記載した（１）〜（５）の効果と同様に（６）の効果を得ることができる。
【００４２】
（６）第３の実施形態によるリサイクル可能なラベル１００ｂでは、上層ラベル１０に印刷が施され、下層ラベル２０ｂに印刷が施されていないことによって、缶２２０のリサイクル時に、印刷が施された上層ラベル１０を印刷が施されていない下層ラベル２０ｂから剥離するだけで、印刷が施されていない下層ラベル２０ｂのみが缶２２０の表面２２０ａに貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００４３】
［第４の実施形態］
図１０および図１１を用いて、本発明の第４の実施形態に係る飲料などの液体が封入されたペットボトルについて説明する。なお、第４の実施形態は、第１〜第３の実施形態で説明した容器（段ボール箱、発泡スチロール箱、缶）の材質およびこれらの容器に貼付するラベルの基材の材質のみが異なる構成であるため、共通部分には同一符号を付してその説明を省略し、異なる構成のみ詳説する。
【００４４】
第４の実施形態に係るリサイクル可能な容器３３０は、図１０および図１１に示すように、リサイクル可能なラベル１００ｃがペットボトル２３０に貼付されることにより構成されている。このペットボトル２３０は、底面２３１と、底面２３１の縁辺より立設された側面２３２と、側面２３２の上方端の飲み口に設けられたキャップ２３３とを備えている。このペットボトル２３０は、本発明の「被貼付物」の一例である。
【００４５】
第４の実施形態では、ラベル１００ｃの下層ラベル２０ｃの基材２１ｃの主成分と、ペットボトル２３０の主成分とは、リサイクルする上で同一分類とされる材料からなる。ここで、「同一分類とされる材料」とは、上述した第１〜第３の実施形態の概念と同様である。たとえば、ペットボトル２３０がポリエチレンテレフタレート（ＰＥＴ）からなるものであれば、下層ラベル２０ｃの基材２１ｃとしてＰＥＴフィルムなどの合成樹脂フィルムが挙げられる。なお、ラベル１００ｃのペットボトル２３０への貼付方法およびペットボトル２３０をリサイクルする際に上層ラベル１０を下層ラベル２０ｃから剥離する点は、上述した第１〜第３の実施形態の内容と同様である。
【００４６】
上記説明した第４の実施形態によれば、第１〜第３の実施形態において記載した（１）〜（６）の効果と同様に（７）の効果を得ることができる。
【００４７】
（７）第４の実施形態によるリサイクル可能なラベル１００ｃでは、上層ラベル１０に印刷が施され、下層ラベル２０ｃに印刷が施されていないことによって、ペットボトル２３０のリサイクル時に、印刷が施された上層ラベル１０を印刷が施されていない下層ラベル２０ｃから剥離するだけで、印刷が施されていない下層ラベル２０ｃのみがペットボトル２３０の表面２３０ａに貼付された状態になる。そのため、リサイクルに使用される再生機内が印刷に含まれるインキ等に起因して汚染されることを抑制することができるとともに、純度が高く品質劣化が抑制されたリサイクル素材を得ることができる。
【００４８】
上記第１〜第４の実施形態は、以下のように変更した構成とすることもできる。
【００４９】
・上記第１〜第４の実施形態では、リサイクル可能な容器の材料の一例として、紙、発泡スチロール、アルミおよびスチール、ペットボトルを示したが、本発明はこれに限られない。たとえば、容器の主成分と下層ラベルの基材の主成分とが同一材料であれば、上述した材料以外の容器でも適用可能である。
【００５０】
・上記第１および第２の実施形態では、容器の側面や天面のほぼ全体を覆うようにラベルを貼付する例を示したが、本発明はこれに限られない。たとえば、側面や天面の比較的小さな範囲にラベルを貼付してもよいし、複数枚のラベルを貼付してもよい。
【００５１】
・上記第３および第４の実施形態では、缶やペットボトルの側面に周状にラベルを貼付する例を示したが、本発明はこれに限られない。たとえば、側面の比較的小さな範囲にラベルを貼付してもよいし、複数枚のラベルを貼付してもよい。
【００５２】
・上記実施形態は、いずれも本発明の適応の例示であり、特許請求の範囲に記載の範囲内におけるその他いかなる実施形態も、発明の技術的範囲に含まれることは当然のことである。
【符号の説明】
【００５３】
１０        …上層ラベル
２０、２０ａ、２０ｂ、２０ｃ        …下層ラベル
２１、２１ａ、２１ｂ、２１ｃ        …基材
３０        …剥離紙
１００、１００ａ、１００ｂ、１００ｃ…ラベル（リサイクル可能なラベル）
２００      …段ボール箱（被貼付物）
２１０      …発泡スチロール箱（被貼付物）
２２０      …缶（被貼付物）
２３０      …ペットボトル（被貼付物）
３００、３１０、３２０、３３０      …リサイクル可能な容器
【図１】
2020008605.tif 000003
【図２】
2020008605.tif 000004
【図３】
2020008605.tif 000005
【図４】
2020008605.tif 000006
【図５】
2020008605.tif 000007
【図６】
2020008605.tif 000008
【図７】
2020008605.tif 000009
【図８】
2020008605.tif 000010
【図９】
2020008605.tif 000011
【図１０】
2020008605.tif 000012
【図１１】
2020008605.tif 000013